(57)【要約】【課題】強い制御介入感をドライバに覚えさせることなく、ステアリング操作に対する車両挙動の応答性やリニア感を向上できると共に、車両姿勢の安定感や乗り心地も向上するように車両の挙動を制御することができる、車両用挙動制御装置を提供する。【解決手段】車両用挙動制御装置は、前輪(2)が操舵される車両(1)の挙動を制御する車両用挙動制御装置において、車両の操舵速度を取得し、操舵速度が０より大きい所定の閾値ＴS1以上になったとき、車両の前部が沈み込む方向にピッチ角を増大させるＰＣＭ(14)とを有する。【選択図】図６
2017193318.tif 000002
【特許請求の範囲】
【請求項１】
前輪が操舵される車両の挙動を制御する車両用挙動制御装置において、
上記車両の操舵速度を取得する操舵速度取得手段と、
上記操舵速度が０より大きい所定の閾値以上になったとき、上記車両の前部が沈み込む方向にピッチ角を増大させるピッチ角増大手段と、
を有することを特徴とする車両用挙動制御装置。
【請求項２】
上記ピッチ角増大手段は、上記操舵速度が上記閾値以上になったとき上記車両の駆動力低減を開始することにより、上記車両の前部が沈み込む方向にピッチ角を増大させる、請求項１に記載の車両用挙動制御装置。
【請求項３】
上記ピッチ角増大手段は、上記操舵速度が上記閾値以上になったとき、上記車両のロール角の増大に同期して上記車両の前部が沈み込む方向にピッチ角を増大させる、請求項１又は２に記載の車両用挙動制御装置。
【発明の詳細な説明】
【技術分野】
【０００１】
本発明は、車両用挙動制御装置に係わり、特に、前輪が操舵される車両の挙動を制御する車両用挙動制御装置に関する。
【背景技術】
【０００２】
従来、スリップ等により車両の挙動が不安定になった場合に安全方向に車両の挙動を制御するもの（横滑り防止装置等）が知られている。具体的には、車両のコーナリング時等に、車両にアンダーステアやオーバーステアの挙動が生じたことを検出し、それらを抑制するように車輪に適切な減速度を付与するようにしたものが知られている。
【０００３】
一方、上述したような車両の挙動が不安定になるような走行状態における安全性向上のための制御とは異なり、日常運転領域から稼動するハンドル操作に連係した加減速を自動的に行い、限界運転領域で横滑りを低減させるようにした車両運動制御装置が知られている（例えば、特許文献１参照）。
【先行技術文献】
【特許文献】
【０００４】
【特許文献１】特許第５１９３８８５号明細書
【発明の概要】
【発明が解決しようとする課題】
【０００５】
しかしながら、上記の特許文献１に記載された技術のように、加減速を制御装置からの指示により自動的に制御すると、ドライバの意図に必ずしも一致しない加減速が行われることになり、ドライバは強い制御介入感を覚えることになる。一方で、制御介入感を抑制するために制御ゲインを下げると、加減速制御による効果も低減してしまう。
また、特許文献１に記載されたような従来技術は、ドライバが旋回のための操舵をするだけで、エキスパートドライバと同様の車両運動を実現することに主眼を置いており、必ずしも通常のステアリング操作に対する車両挙動の応答性やリニア感の向上が得られるものではない。
【０００６】
本発明は、上述した従来技術の問題点を解決するためになされたものであり、強い制御介入感をドライバに覚えさせることなく、ステアリング操作に対する車両挙動の応答性やリニア感を向上できると共に、車両姿勢の安定感や乗り心地も向上するように車両の挙動を制御することができる、車両用挙動制御装置を提供することを目的とする。
【課題を解決するための手段】
【０００７】
上記の目的を達成するために、本発明の車両用挙動制御装置は、前輪が操舵される車両の挙動を制御する車両用挙動制御装置において、車両の操舵速度を取得する操舵速度取得手段と、操舵速度が０より大きい所定の閾値以上になったとき、車両の前部が沈み込む方向にピッチ角を増大させるピッチ角増大手段とを有することを特徴とする。
このように構成された本発明においては、ピッチ角増大手段は、操舵速度が閾値以上になったとき、車両の前部が沈み込む方向にピッチ角を増大させるので、ドライバによるステアリング操作の開始後、ローリングが発生したときに車両の前部が沈み込むピッチングを発生させることができ、これにより、車両の旋回初期においてダイアゴナルロール姿勢を生じさせ、前輪のコーナリングフォースを増大させて旋回挙動の応答性を向上させるとともに、これから旋回挙動が発生・継続することをドライバに的確に認知させることができる。したがって、ドライバによるステアリング操作に対して良好な応答性・リニア感で車両の挙動を制御することができるとともに、車両姿勢の安定感や乗り心地も向上するように車両の挙動を制御することができる。
【０００８】
また、本発明において、好ましくは、ピッチ角増大手段は、操舵速度が閾値以上になったとき車両の駆動力低減を開始することにより、車両の前部が沈み込む方向にピッチ角を増大させる。
このように構成された本発明においては、ドライバによるステアリング操作の開始後、駆動力低減により車両に減速度を生じさせることで高い応答性でピッチ角を増大させることができ、ドライバによるステアリング操作に対してより良好な応答性で車両の挙動を制御することができるとともに、車両姿勢の安定感や乗り心地も一層向上するように車両の挙動を制御することができる。
【０００９】
また、本発明において、好ましくは、ピッチ角増大手段は、操舵速度が閾値以上になったとき、車両のロール角の増大に同期して車両の前部が沈み込む方向にピッチ角を増大させる。
このように構成された本発明においては、車両の旋回初期においてダイアゴナルロール姿勢を確実に生じさせることができ、これにより、ドライバによるステアリング操作に対して良好な応答性で車両の挙動を制御することができるとともに、車両姿勢の安定感や乗り心地も向上するように車両の挙動を制御することができる。
【発明の効果】
【００１０】
本発明による車両用挙動制御装置によれば、強い制御介入感をドライバに覚えさせることなく、ステアリング操作に対する車両挙動の応答性やリニア感を向上できると共に、車両姿勢の安定感や乗り心地も向上するように車両の挙動を制御することができる。
【図面の簡単な説明】
【００１１】
【図１】本発明の実施形態による車両用挙動制御装置を搭載した車両の全体構成を示すブロック図である。
【図２】本発明の実施形態による車両用挙動制御装置の電気的構成を示すブロック図である。
【図３】本発明の実施形態による車両用挙動制御装置がエンジンを制御するエンジン制御処理のフローチャートである。
【図４】本発明の実施形態による車両用挙動制御装置がトルク低減量を決定するトルク低減量決定処理のフローチャートである。
【図５】本発明の実施形態による車両用挙動制御装置が決定する目標付加減速度と操舵速度との関係を示したマップである。
【図６】本発明の実施形態による車両用挙動制御装置を搭載した車両が旋回を行う場合における、エンジン制御に関するパラメータの時間変化を示したタイムチャートであり、図６（ａ）は右旋回を行う車両を概略的に示す平面図、図６（ｂ）は右旋回を行う車両の操舵角の変化を示す線図、図６（ｃ）は右旋回を行う車両の操舵速度の変化を示す線図、図６（ｄ）は操舵速度に基づき設定されたトルク低減フラグの値を示す線図、図６（ｅ）は操舵速度及びトルク低減フラグに基づき決定された付加減速度の変化を示す線図、図６（ｆ）は付加減速度に基づいて決定されたトルク低減量の変化を示す線図、図６（ｇ）は基本目標トルクとトルク低減量とに基づき決定された最終目標トルクの変化を示す線図である。
【図７】本発明の実施形態による車両用挙動制御装置を搭載した車両が旋回を行ったときの前後加速度及び横加速度の変化を示す線図である。
【図８】本発明の実施形態による車両用挙動制御装置を搭載した車両に旋回走行を行わせたときの車両挙動の測定結果を示す線図であり、図８（ａ）は車両の操舵角の変化を示す線図、図８（ｂ）は車両に発生した横ジャークの変化を示す線図、図８（ｃ）は操舵速度に基づき設定されたトルク低減フラグの値を示す線図、図８（ｄ）は前輪を駆動させる駆動トルクの変化を示す線図、図８（ｅ）は車両に発生した前後ジャークの変化を示す線図である。
【図９】本発明の実施形態による車両用挙動制御装置を搭載した車両と搭載していない車両のそれぞれに旋回走行を行わせたとき、横加速度と前後加速度がどのように発生するかを示した線図である。
【図１０】本発明の実施形態による車両用挙動制御装置を搭載した車両と搭載していない車両のそれぞれに旋回走行を行わせたとき、ローリングとピッチングがどのように発生するかを示した線図である。
【図１１】各輪のサスペンションの伸縮量により車両姿勢を示した概略図であり、図１１（ａ）は平行なローリングが生じたときの車両姿勢を示す図、図１１（ｂ）はダイアゴナルロールが生じたときの車両姿勢を示す図である。
【図１２】本発明の実施形態による車両用挙動制御装置を搭載した車両と搭載していない車両のそれぞれに旋回走行を行わせたとき、前輪の垂直荷重がどのように変化するかを示した線図であり、図１２（ａ）は左右の荷重移動による前内輪の垂直荷重変化を示す線図、図１２（ｂ）は車両の減速による前輪の垂直荷重変化を示す線図である。
【発明を実施するための形態】
【００１２】
以下、添付図面を参照して、本発明の実施形態による車両用挙動制御装置を説明する。
【００１３】
まず、図１により、本発明の実施形態による車両用挙動制御装置を搭載した車両について説明する。図１は、本発明の実施形態による車両用挙動制御装置を搭載した車両の全体構成を示すブロック図である。
【００１４】
図１において、符号１は、本実施形態による車両用挙動制御装置を搭載した車両を示す。車両１の車体前部には、駆動輪（図１の例では左右の前輪２）を駆動するエンジン４が搭載されている。エンジン４は、ガソリンエンジンやディーゼルエンジンなどの内燃エンジンである。
【００１５】
また、車両１は、ステアリングホイール６の回転角度を検出する操舵角センサ８、アクセルペダルの開度（アクセル開度）を検出するアクセル開度センサ１０、及び、車速を検出する車速センサ１２を有する。これらの各センサは、それぞれの検出値をＰＣＭ（Power-train Control Module）１４に出力する。
【００１６】
次に、図２により、本発明の実施形態による車両用挙動制御装置の電気的構成を説明する。図２は、本発明の実施形態による車両用挙動制御装置の電気的構成を示すブロック図である。
本発明の実施形態によるＰＣＭ１４は、上述したセンサ８〜１２の検出信号の他、エンジン４の運転状態を検出する各種センサが出力した検出信号に基づいて、エンジン４の各部（例えば、スロットルバルブ、ターボ過給機、可変バルブ機構、点火装置、燃料噴射弁、ＥＧＲ装置等）に対する制御を行うべく、制御信号を出力する。
【００１７】
ＰＣＭ１４は、アクセルペダルの操作を含む車両１の運転状態に基づき基本目標トルクを決定する基本目標トルク決定部１６と、車両１の車幅方向におけるジャークに関連する量（横ジャーク関連量）に基づき車両１に減速度を付加するためのトルク低減量を決定するトルク低減量決定部１８と、基本目標トルクとトルク低減量とに基づき最終目標トルクを決定する最終目標トルク決定部２０と、最終目標トルクを出力させるようにエンジン４を制御するエンジン制御部２２とを有する。本実施形態では、トルク低減量決定部１８は、横ジャーク関連量として車両１の操舵速度を用いる場合を説明する。
これらのＰＣＭ１４の各構成要素は、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを記憶するためのＲＯＭやＲＡＭの如き内部メモリを備えるコンピュータにより構成される。
詳細は後述するが、ＰＣＭ１４は本発明における車両用挙動制御装置に相当し、操舵速度取得手段、ピッチ角増大手段として機能する。
【００１８】
次に、図３乃至図５により、車両用挙動制御装置が行う処理について説明する。
図３は、本発明の実施形態による車両用挙動制御装置がエンジン４を制御するエンジン制御処理のフローチャートであり、図４は、本発明の実施形態による車両用挙動制御装置がトルク低減量を決定するトルク低減量決定処理のフローチャートであり、図５は、本発明の実施形態による車両用挙動制御装置が決定する目標付加減速度と操舵速度との関係を示したマップである。
【００１９】
図３のエンジン制御処理は、車両１のイグニッションがオンにされ、車両用挙動制御装置に電源が投入された場合に起動され、繰り返し実行される。
エンジン制御処理が開始されると、図３に示すように、ステップＳ１において、ＰＣＭ１４は車両１の運転状態に関する各種情報を取得する。具体的には、ＰＣＭ１４は、操舵角センサ８が検出した操舵角、アクセル開度センサ１０が検出したアクセル開度、車速センサ１２が検出した車速、車両１の変速機に現在設定されているギヤ段等を含む、上述した各種センサが出力した検出信号を運転状態に関する情報として取得する。
【００２０】
次に、ステップＳ２において、ＰＣＭ１４の基本目標トルク決定部１６は、ステップＳ１において取得されたアクセルペダルの操作を含む車両１の運転状態に基づき、目標加速度を設定する。具体的には、基本目標トルク決定部１６は、種々の車速及び種々のギヤ段について規定された加速度特性マップ（予め作成されてメモリなどに記憶されている）の中から、現在の車速及びギヤ段に対応する加速度特性マップを選択し、選択した加速度特性マップを参照して現在のアクセル開度に対応する目標加速度を決定する。
【００２１】
次に、ステップＳ３において、基本目標トルク決定部１６は、ステップＳ２において決定した目標加速度を実現するためのエンジン４の基本目標トルクを決定する。この場合、基本目標トルク決定部１６は、現在の車速、ギヤ段、路面勾配、路面μなどに基づき、エンジン４が出力可能なトルクの範囲内で、基本目標トルクを決定する。
【００２２】
また、ステップＳ２及びＳ３の処理と並行して、ステップＳ４において、トルク低減量決定部１８は、ステアリング操作に基づき車両１に減速度を付加するためのトルク低減量を決定するトルク低減量決定処理を実行する。このトルク低減量決定処理について、図４を参照して説明する。
【００２３】
図４に示すように、トルク低減量決定処理が開始されると、ステップＳ２１において、トルク低減量決定部１８は、ステップＳ１において取得した操舵角に基づき操舵速度を算出する。
【００２４】
次に、ステップＳ２２において、トルク低減量決定部１８は、操舵速度が所定の閾値ＴS1より大きいか否かを判定する。
その結果、操舵速度が閾値ＴS1より大きい場合、ステップＳ２３に進み、トルク低減量決定部１８は、車両１に減速度を付加するためにエンジン４の出力トルクを低減させる条件が満たされているか否かを示すトルク低減フラグを、トルクを低減させる条件が満たされている状態を示すＴｒｕｅ（真値）に設定する。
【００２５】
次に、ステップＳ２４において、トルク低減量決定部１８は、操舵速度に基づき目標付加減速度を取得する。この目標付加減速度は、ドライバの意図した車両挙動を正確に実現するために、ステアリング操作に応じて車両１に付加すべき減速度である。
【００２６】
具体的には、トルク低減量決定部１８は、図５のマップに示した目標付加減速度と操舵速度との関係に基づき、ステップＳ２１において算出した操舵速度に対応する目標付加減速度を取得する。
図５における横軸は操舵速度を示し、縦軸は目標付加減速度を示す。図５に示すように、操舵速度が閾値ＴS以下である場合、対応する目標付加減速度は０である。即ち、操舵速度が閾値ＴS1以下である場合、ＰＣＭ１４は、ステアリング操作に基づき車両１に減速度を付加するための制御（具体的にはエンジン４の出力トルクの低減）を停止する。
一方、操舵速度が閾値ＴS1を超えている場合には、操舵速度が増大するに従って、この操舵速度に対応する目標付加減速度は、所定の上限値Ｄmaxに漸近する。即ち、操舵速度が増大するほど目標付加減速度は増大し、且つ、その増大量の増加割合は小さくなる。この上限値Ｄmaxは、ステアリング操作に応じて車両１に減速度を付加しても、制御介入があったとドライバが感じない程度の減速度に設定される（例えば０．５ｍ／ｓ2≒０．０５Ｇ）。
さらに、操舵速度が閾値ＴS1よりも大きい閾値ＴS2以上の場合には、目標付加減速度は上限値Ｄmaxに維持される。
【００２７】
次に、ステップＳ２５において、トルク低減量決定部１８は、付加減速度の変化率が閾値Ｒｍａｘ（例えば０．５ｍ／ｓ3）以下となる範囲で今回の処理における付加減速度を決定する。
具体的には、トルク低減量決定部１８は、前回の処理において決定した付加減速度から今回の処理のステップＳ２４において取得した目標付加減速度への変化率がＲｍａｘ以下である場合、ステップＳ２４において取得した目標付加減速度を今回の処理における付加減速度として決定する。
一方、前回の処理において決定した付加減速度から今回の処理のステップＳ２４において取得した目標付加減速度への変化率がＲｍａｘより大きい場合、トルク低減量決定部１８は、前回の処理において決定した付加減速度から今回の処理時まで変化率Ｒｍａｘにより変化させた値を今回の処理における付加減速度として決定する。
【００２８】
次に、ステップＳ２６において、トルク低減量決定部１８は、ステップＳ２５において決定した今回の付加減速度に基づき、トルク低減量を決定する。具体的には、トルク低減量決定部１８は、今回の付加減速度を実現するために必要となるトルク低減量を、ステップＳ１において取得された現在の車速、ギヤ段、路面勾配等に基づき決定する。
【００２９】
また、ステップＳ２２において、操舵速度が閾値ＴS1より大きくない（閾値ＴS1以下である）場合、ステップＳ２７に進み、トルク低減量決定部１８は、車両１に減速度を付加するためにエンジン４の出力トルクを低減させる条件が満たされているか否かを示すトルク低減フラグを、トルクを低減させる条件が満たされていない状態を示すＦａｌｓｅ（偽値）に設定する。
【００３０】
ステップＳ２６又はＳ２７の後、トルク低減量決定部１８はトルク低減量決定処理を終了し、メインルーチンに戻る。
【００３１】
図３に戻り、ステップＳ２及びＳ３の処理及びステップＳ４のトルク低減量決定処理を行った後、ステップＳ５において、最終目標トルク決定部２０は、ステップＳ３において決定した基本目標トルクから、ステップＳ４のトルク低減量決定処理において決定したトルク低減量を減算することにより、最終目標トルクを決定する。
【００３２】
次に、ステップＳ６において、エンジン制御部２２は、ステップＳ５において設定した最終目標トルクを出力させるようにエンジン４を制御する。具体的には、エンジン制御部２２は、ステップＳ５において設定した最終目標トルクと、エンジン回転数とに基づき、最終目標トルクを実現するために必要となる各種状態量（例えば、空気充填量、燃料噴射量、吸気温度、酸素濃度等）を決定し、それらの状態量に基づき、エンジン４の各構成要素のそれぞれを駆動する各アクチュエータを制御する。この場合、エンジン制御部２２は、状態量に応じた制限値や制限範囲を設定し、状態値が制限値や制限範囲による制限を遵守するような各アクチュエータの制御量を設定して制御を実行する。
ステップＳ６の後、ＰＣＭ１４は、エンジン制御処理を終了する。
【００３３】
次に、図６により、本発明の実施形態による車両用挙動制御装置のエンジン制御の例を説明する。図６は、本発明の実施形態による車両用挙動制御装置を搭載した車両１が旋回を行う場合における、エンジン制御に関するパラメータの時間変化を示したタイムチャートである。
【００３４】
図６（ａ）は、右旋回を行う車両１を概略的に示す平面図である。この図６（ａ）に示すように、車両１は、位置Ａから右旋回を開始し、位置Ｂから位置Ｃまで操舵角一定で右旋回を継続する。
【００３５】
図６（ｂ）は、図６（ａ）に示したように右旋回を行う車両１の操舵角の変化を示す線図である。図６（ｂ）における横軸は時間を示し、縦軸は操舵角を示す。
この図６（ｂ）に示すように、位置Ａにおいて右向きの操舵が開始され、ステアリングの切り足し操作が行われることにより右向きの操舵角が徐々に増大し、位置Ｂにおいて右向きの操舵角が最大となる。その後、位置Ｃまで操舵角が一定に保たれる（操舵保持）。
【００３６】
図６（ｃ）は、図６（ｂ）に示したように右旋回を行う車両１の操舵速度の変化を示す線図である。図６（ｂ）における横軸は時間を示し、縦軸は操舵速度を示す。
車両１の操舵速度は、車両１の操舵角の時間微分により表される。即ち、図６（ｃ）に示すように、位置Ａにおいて右向きの操舵が開始された場合、右向きの操舵速度が生じ、位置Ａと位置Ｂとの間において操舵速度がほぼ一定に保たれる。その後、右向きの操舵速度は減少し、位置Ｂにおいて右向きの操舵角が最大になると、操舵速度は０になる。更に、位置Ｂから位置Ｃまで右向きの操舵角が保持される間、操舵速度は０のままである。
【００３７】
図６（ｄ）は、操舵速度に基づき設定されたトルク低減フラグの真偽値を示す線図である。図６（ｄ）における横軸は時間を示し、縦軸はトルク低減フラグの真偽値を示す。
図６（ｄ）に示すように、位置Ａにおいて右向きの操舵が開始される前においては、トルク低減フラグはＦａｌｓｅに設定されている。そして、位置Ａにおいて右向きの操舵が開始されると、操舵速度が閾値ＴS1を超えたときにトルク低減フラグはＦａｌｓｅからＴｒｕｅに変化する。その後、位置Ｂに接近するにつれて操舵速度が低下し、閾値ＴS1以下になると、トルク低減フラグはＴｒｕｅからＦａｌｓｅに変化する。
【００３８】
図６（ｅ）は、操舵速度及びトルク低減フラグに基づき決定された付加減速度の変化を示す線図である。図６（ｅ）における横軸は時間を示し、縦軸は付加減速度を示す。
図４を参照して説明したように、トルク低減量決定部１８は、ステップＳ２２において操舵速度が閾値ＴS1より大きい場合（すなわちトルク低減フラグがＴｒｕｅである場合）、ステップＳ２４において操舵速度に基づき目標付加減速度を取得する。続いて、ステップＳ２５において、トルク低減量決定部１８は、付加減速度の増大率が閾値Ｒｍａｘ以下となる範囲で各処理サイクルにおける付加減速度を決定する。
【００３９】
図６（ｅ）に示すように、付加減速度は、トルク低減フラグがＦａｌｓｅからＴｒｕｅに切り替わったときから増大し始め、位置Ａと位置Ｂとの間においてほぼ一定に保たれ、その後操舵速度の減少に応じて減少し、トルク低減フラグがＴｒｕｅからＦａｌｓｅに切り替わったときに０になる。
【００４０】
図６（ｆ）は、図６（ｅ）に示した付加減速度に基づき決定されたトルク低減量の変化を示す線図である。図６（ｆ）における横軸は時間を示し、縦軸はトルク低減量を示す。
上述したように、トルク低減量決定部１８は、付加減速度を実現するために必要となるトルク低減量を、現在の車速、ギヤ段、路面勾配等のパラメータに基づき決定する。従って、これらのパラメータが一定である場合、トルク低減量は、図６（ｅ）に示した付加減速度の変化と同様に変化するように決定される。
【００４１】
図６（ｇ）は基本目標トルクとトルク低減量とに基づき決定された最終目標トルクの変化を示す線図である。図６（ｇ）における横軸は時間を示し、縦軸はトルクを示す。また、図６（ｇ）における破線は基本目標トルクを示し、実線は最終目標トルクを示す。
図３を参照して説明したように、最終目標トルク決定部２０は、ステップＳ３において決定した基本目標トルクから、ステップＳ４のトルク低減量決定処理において決定したトルク低減量を減算することにより、最終目標トルクを決定する。
すなわち、図６（ｇ）に示すように、位置Ａと位置Ｂとの間においてトルク低減フラグがＴｒｕｅに設定されている間、最終目標トルクが基本目標トルクからトルク低減量の分だけ低減され、そのトルク低減に応じた減速度が車両１に生じるので、前輪２への荷重移動が生じる。その結果、前輪２と路面との間の摩擦力が増加し、前輪２のコーナリングフォースが増大する。
【００４２】
次に、図７により、本発明の実施形態による車両用挙動制御装置の制御によって車両に生じる前後加速度及び横加速度の変化を説明する。図７（ａ）は、本発明の実施形態による車両用挙動制御装置を搭載した車両が図６（ａ）に示したように直進から右旋回を開始し定常円旋回に至るまでの前後加速度及び横加速度の変化を示す線図であり、図７（ｂ）は、図７（ａ）における微小加速度領域（すなわち旋回初期）を拡大した線図である。図７における横軸は横加速度（車幅方向右側への加速度が正）を示し、縦軸は前後加速度（進行方向の加速度が正、減速度が負）を示している。
また、図７において、実線は本発明の実施形態による車両用挙動制御装置を搭載した車両における前後加速度及び横加速度の変化を示し、一点鎖線は特許文献１に記載されたような従来の車両運動制御装置を搭載した車両における前後加速度及び横加速度の変化を示し、破線はこれらの制御装置による制御を行わない場合の前後加速度及び横加速度の変化を示している。
【００４３】
図７（ａ）において一点鎖線により示すように、特許文献１に記載されたような従来の車両運動制御装置では、ドライバが旋回のための操舵をするだけで、横加速度と前後加速度を合成した加速度が左回りの円弧を描くように、横加速度の増大に応じて減速度を増減させる。すなわち、エキスパートドライバが行うような、合成加速度が一定値を保って左回りの円弧を描く車両運動を実現するため、制御装置は、ドライバの操舵に応じて車両に生じる横加速度と同程度の減速度を発生させたのち、その減速度を減少させる。合成加速度が一定値を保って変化していることをドライバが感じられるよう、制御によって発生させる減速度の大きさは０．５Ｇに達することもある。この０．５Ｇという減速度は、例えばバスにおいて立っている乗客が倒れてしまうような、緊急時の強いブレーキ操作により生じる減速度であり、減速のための操作を行っていないドライバは強い制御介入感を覚えることになる。
【００４４】
一方、図７（ａ）において実線により示すように、本発明の実施形態による車両用挙動制御装置の制御によって発生する減速度は、０．００１Ｇ〜０．０１Ｇ程度、最大でも０．０５Ｇ（目標付加減速度の上限値Ｄmax）に制限されている。この０．０５Ｇという減速度は、図７（ａ）において破線により示した、制御装置による制御を行わない場合において旋回中に生じる減速度（すなわち路面と車輪との摩擦力により生じるコーナリングドラッグに起因する減速度）とほぼ同程度である。したがって、ドライバは、減速度を付加する制御が行われていることに気が付かない。
【００４５】
特に、図７（ｂ）に拡大して示したように、本実施形態のＰＣＭ１４は車両の旋回初期において操舵速度が閾値ＴS1以上になりトルク低減フラグがＴｒｕｅに設定されたときにエンジン４の出力トルク低減を開始し、横加速度が微小な領域において減速度を急速に増大させる。これにより、減速度を付加する制御を行わない場合と比較して減速度が迅速に立ち上がる。したがって、ドライバがステアリング操作を開始したときに直ちに前輪の垂直荷重を増大させてコーナリングフォースを増大させることができ、ステアリング操作に対する車両挙動の応答性やリニア感を向上することができる。
【００４６】
次に、図８乃至図１２により、本発明の実施形態による車両用挙動制御装置を搭載した車両に旋回走行を行わせたときの車両挙動を説明する。
【００４７】
本発明者らは、旋回初期の操舵入力に対し発生する横ジャークに応じてエンジン４の出力トルクを低減させることにより、車両の挙動がどのように変化するのかを評価するために、上述の実施形態による車両用挙動制御装置を搭載した車両に直進から定常円旋回に至る単一コーナーを一定車速で走行させ、そのときの車両挙動に関わる各種パラメータを測定した。
【００４８】
図８は、本実施形態による車両用挙動制御装置を搭載した車両に旋回走行を行わせたときの車両挙動の測定結果を示す線図であり、図８（ａ）は車両の操舵角の変化を示す線図、図８（ｂ）は車両に発生した横ジャークの変化を示す線図、図８（ｃ）は操舵速度に基づき設定されたトルク低減フラグの値を示す線図、図８（ｄ）は前輪を駆動させる駆動トルクの変化を示す線図、図８（ｅ）は車両に発生した前後ジャークの変化を示す線図である。図８（ｄ）及び図８（ｅ）において、実線は本実施形態の車両用挙動制御装置を搭載した車両の結果を示し、破線は車両用挙動制御装置を搭載していない従来の車両の結果を示している。
【００４９】
操舵角の増大に伴って前輪のスリップ角が増大すると、路面と前輪の接地面との間の摩擦力によりコーナリングフォースが発生する。これにより、図８（ａ）及び（ｂ）に示すように、操舵角が増大し始めるのとほぼ同時に横ジャークが発生する。この横ジャークは、操舵角を時間微分した操舵速度とほぼ同じように変化する。
そして、図８（ｃ）に示すように、横ジャークが発生している間、すなわち操舵速度が発生している間は、トルク低減フラグがＴｒｕｅに設定され、図８（ｄ）に実線で示すように駆動トルクが低減される。このように、図６を参照して説明した通りに車両用挙動制御装置が作動していることが分かる。
【００５０】
また、前輪２のスリップ角が増大すると、路面と前輪の接地面との間の摩擦力によりコーナリングドラッグも発生する。このコーナリングドラッグにより車両に減速度が生じるまでの間には、サスペンションのコンプライアンス要素等に起因して、僅かな遅れが存在する。したがって、本実施形態の車両用挙動制御装置を搭載していない車両では、図８（ｅ）において破線により示すように、車両の前後方向後向きのジャーク（減速ジャーク）は、横ジャークよりも遅れて発生する。
【００５１】
これに対し、本実施形態の車両用挙動制御装置を搭載した車両では、操舵速度が閾値ＴS1以上になりトルク低減フラグがＴｒｕｅに設定されたとき直ちに駆動トルク低減を開始することにより、図８（ｅ）において実線により示すように、コーナリングドラッグのみによる減速ジャークよりも早いタイミングで、横ジャークの発生とほぼ同時に減速ジャークを発生させ、減速ジャークのピークが横ジャークのピーク以前に現れるようにしている。したがって、横ジャークが生じたときに直ちに前輪の垂直荷重を増大させ、ドライバによるステアリング操作に対して良好な応答性で車両の挙動を制御することができる。
【００５２】
図９は、上記の旋回走行において、横加速度と前後加速度がどのように発生するかを示した線図である。この図９において、横軸は車幅方向の加速度（横加速度）を示し、縦軸は前後方向の加速度（前後加速度）を示す。また、図９においては、減速方向の加速度（減速度）が負値で表されている。
上述したように、本実施形態の車両用挙動制御装置を搭載していない車両では、操舵角が増大し始めたとき、減速ジャークは横ジャークよりも遅れて発生する。したがって、図９において破線により示すように、横加速度の立ち上がり（０〜０．１Ｇ）において減速度が増大せず、横加速度が大きくなる（すなわちコーナリングフォースが大きくなる）と、コーナリングドラッグの増大に応じて減速度が増大している。
【００５３】
一方、本実施形態の車両用挙動制御装置を搭載した車両では、操舵速度が閾値ＴS1以上になったとき車両の駆動力低減を開始することにより、コーナリングドラッグのみによる減速ジャークよりも早いタイミングで、横ジャークの発生とほぼ同時に減速ジャークを発生させ、減速ジャークのピークが横ジャークのピーク以前に現れるようにしているので、図９において実線により示すように、横加速度の立ち上がり（０〜０．１Ｇ）に追随して減速度も立ち上がり、横加速度と減速度とがリニアな関係を維持して遷移している。したがって、ドライバによるステアリング操作に対して良好な応答性で車両の挙動を制御することができるだけでなく、車両姿勢の安定感や乗り心地も向上するように車両の挙動を制御することができる。
【００５４】
図１０は、上記の旋回走行において、ローリングとピッチングがどのように発生するかを示した線図である。この図１０において横軸はロール角を示し、縦軸はピッチ角を示す。また、図１０においては、車両の前部が沈み込む方向のピッチ角が負値で表されている。
上述したように、本実施形態の車両用挙動制御装置を搭載していない車両では、操舵角が増大し始めたとき、減速ジャークは横ジャークよりも遅れて発生し、横加速度の立ち上がりにおいては減速度が増大しない。したがって、図１０において破線により示すように、横加速度の増大に応じて車両の車幅方向に荷重移動が発生し、ロール角が増大するのに対し、ピッチ角はロール角の増大とは無関係に上下している。
【００５５】
一方、本実施形態の車両用挙動制御装置を搭載した車両では、操舵速度が閾値ＴS1以上になったとき車両の駆動力低減を開始することにより、横ジャークの発生とほぼ同時に減速ジャークを発生させ、横加速度の立ち上がりに追随して減速度も立ち上がるようにすることで、ロール角の増大に同期して車両の前部が沈み込む方向にピッチ角を増大させるようにしている。
【００５６】
図１１は、各輪のサスペンションの伸縮量により車両姿勢を示した概略図であり、図１１（ａ）は平行なローリングが生じたときの車両姿勢を示す図、図１１（ｂ）はダイアゴナルロールが生じたときの車両姿勢を示す図である。
上述したように、本実施形態の車両用挙動制御装置を搭載していない車両では、横加速度の増大に応じて車両の車幅方向に荷重移動が発生し、ロール角が増大するのに対し、ピッチ角はロール角の増大とは無関係に上下している。したがって、旋回初期において、ロール角のみが増大することにより図１１（ａ）に示すような平行ロール姿勢が生じた後、ロール角とは無関係に生じるピッチングにより前傾姿勢あるいは後傾姿勢が生じる。
【００５７】
一方、本実施形態の車両用挙動制御装置を搭載した車両では、操舵速度が閾値ＴS1以上になったとき車両の駆動力低減を開始することにより、ロール角の増大に同期して車両の前部が沈み込む方向にピッチ角を増大させるようにしているので、旋回初期において、ローリングと車両の前部が沈み込むピッチングとが同期して発生することにより図１１（ｂ）に示すようなダイアゴナルロール姿勢が生じる。
このように、本発明による車両用挙動制御装置は、旋回初期の横加速度が微小な領域において駆動力低減量を迅速に増大させることによって、ドライバがステアリング操作を開始したときに車両姿勢がダイアゴナルロール姿勢にスムーズに移行するきっかけを作っている。これにより、前輪のコーナリングフォースを増大させて旋回挙動の応答性を向上させるとともに、これから旋回挙動が発生・継続することをドライバに的確に認知させることができる。
【００５８】
図１２は、上記の旋回走行において前輪の垂直荷重がどのように変化するかを示した線図であり、図１２（ａ）は左右の荷重移動による前内輪の垂直荷重変化を示す線図、図１２（ｂ）は車両の減速による前輪の垂直荷重変化を示す線図である。
上述したように、本実施形態の車両用挙動制御装置を搭載していない車両では、操舵角が増大し始めたとき、横加速度の立ち上がりにおいて減速度が増大しないので、図１２において破線で示すように、横加速度の増大に応じて前輪の左右荷重移動量がリニアに増大するのに対し、横加速度の立ち上がり（０〜０．１Ｇ）においては減速による前後荷重移動が生じないので減速による前輪の垂直荷重変化は発生せず、横加速度が大きくなると、コーナリングドラッグの増大に応じた減速度の増大により、減速による前輪の垂直荷重変化量が増大している。
【００５９】
一方、本実施形態の車両用挙動制御装置を搭載した車両では、操舵速度が閾値ＴS1以上になったとき車両の駆動力低減を開始することにより、横加速度の立ち上がりに追随して減速度も立ち上がり、横加速度と減速度とがリニアな関係を維持して遷移するので、図１２において実線で示すように、横加速度の増大に応じて前輪の左右荷重移動量がリニアに増大するのに同期して、横加速度の立ち上がり（０〜０．１Ｇ）から減速による前後荷重移動が生じて前輪の垂直荷重変化量が増大する。これにより、車両の旋回初期において左右荷重移動による前内輪の垂直荷重減少を抑制するように前輪の垂直荷重を増大させ、前輪のコーナリングフォースを増大させて旋回挙動の応答性を向上させることができる。
【００６０】
次に、本発明の実施形態のさらなる変形例を説明する。
上述した実施形態においては、トルク低減量決定部２２は、操舵速度に基づき目標付加減速度を取得し、この目標付加減速度に基づいてトルク低減量を決定すると説明したが、アクセルペダルの操作以外の車両１の運転状態（操舵角、横加速度、ヨーレート、スリップ率等）に基づきトルク低減量を決定するようにしてもよい。
例えば、トルク低減量決定部２２は、加速度センサから入力された横加速度や、横加速度を時間微分することにより得られる横ジャークに基づき目標付加減速度を取得して、トルク低減量を決定するようにしてもよい。
【００６１】
また、上述した実施形態においては、ＰＣＭ１４は、目標付加減速度に応じてエンジン４の出力トルクを低減させることにより、車両１に前後方向後向きの減速ジャークを発生させ、車両の前部が沈み込む方向にピッチ角を増大させると共に前輪の垂直荷重を増大させると説明したが、エンジン４を上下動可能に支持するアクティブエンジンマウントや、サスペンションの動作や特性を制御可能なアクティブサスペンションにより減速ジャークを発生させ、車両の前部が沈み込む方向にピッチ角を増大させると共に前輪の垂直荷重を増大させるようにしてもよい。
【００６２】
また、上述した実施形態においては、車両用挙動制御装置を搭載した車両１は、駆動輪を駆動するエンジン４を搭載すると説明したが、バッテリやキャパシタから供給された電力により駆動輪を駆動するモータを搭載した車両についても、本発明による車両用挙動制御装置を適用することができる。この場合、ＰＣＭ１６は、車両１の操舵速度に応じてモータのトルクを低減させる制御を行う。
【００６３】
次に、上述した本発明の実施形態及び本発明の実施形態の変形例による車両用挙動制御装置の効果を説明する。
【００６４】
まず、ＰＣＭ１６は、横ジャーク関連量に基づき、トルク低減フラグがエンジン４の出力トルクを低減させる条件が満たされている状態を示すＴｒｕｅに設定されたとき、エンジン４の出力トルク低減を開始するので、車両１に横ジャークが生じたときに直ちにエンジン４の出力トルクを低減することにより前輪の垂直荷重を増大させ、ドライバによるステアリング操作に対して良好な応答性で車両１の挙動を制御することができ、これにより、強い制御介入感をドライバに覚えさせることなく、ステアリング操作に対する車両挙動の応答性やリニア感を向上できる。また、ドライバの意図した挙動が正確に実現されることにより、微小な修正舵が不要となるので、車両姿勢の安定感や乗り心地も向上することができる。
【００６５】
また、ＰＣＭ１６は、横ジャーク関連量が所定の閾値を超えた場合、トルク低減フラグをＴｒｕｅに設定するので、横ジャーク関連量が閾値以下である場合には、微小なステアリング操作に対して車両１が過剰に反応することを抑制でき、これにより、直進時の車両挙動についてドライバに違和感を与えることなく、ドライバの意図した挙動を正確に実現するように車両の挙動を制御することができる。
【００６６】
また、横ジャーク関連量は、車両１の操舵速度であるので、ドライバによるステアリング操作の開始に応じて直ちに駆動力を低減することができ、これにより、ドライバによるステアリング操作に対してより良好な応答性で車両１の挙動を制御することができる。
【００６７】
また、ＰＣＭ１６は、操舵速度が閾値ＴS1以上になったとき、車両１の前後方向後向きの減速ジャークを発生させるので、ドライバによるステアリング操作の開始後、コーナリングドラッグのみによる減速ジャークよりも早いタイミングで、横ジャークの発生とほぼ同時に減速ジャークを発生させることができる。これにより、車両１の旋回初期においてステアリング操作に応じて直ちに減速ジャークを発生させ減速度を増大させることにより前輪２の垂直荷重を増大させ、ドライバによるステアリング操作に対して良好な応答性・リニア感で車両１の挙動を制御することができるとともに、旋回初期の横加速度の立ち上がりに追随して減速度も立ち上がり、横加速度と減速度とがリニアな関係を維持して遷移するように車両１の挙動を制御することができ、車両姿勢の安定感や乗り心地も向上するように車両１の挙動を制御することができる。
【００６８】
また、ＰＣＭ１６は、操舵速度が閾値ＴS1以上になったときエンジン４の出力トルク低減を開始することにより、減速ジャークを発生させるので、ドライバによるステアリング操作の開始後、高い応答性で減速ジャークを発生させることができ、ドライバによるステアリング操作に対してより良好な応答性で車両１の挙動を制御することができるとともに、車両姿勢の安定感や乗り心地も一層向上するように車両１の挙動を制御することができる。
【００６９】
また、ＰＣＭ１６は、操舵速度が閾値ＴS1以上になったとき、減速ジャークのピークが横ジャークのピーク以前に現れるように減速ジャークを発生させるので、車両１の旋回初期においてステアリング操作に応じて直ちに減速ジャークを発生させ減速度を増大させることにより前輪２の垂直荷重を増大させ、ドライバによるステアリング操作に対してより良好な応答性で車両１の挙動を制御することができるとともに、車両姿勢の安定感や乗り心地も向上するように車両１の挙動を制御することができる。
【００７０】
また、ＰＣＭ１６は、操舵速度が閾値ＴS1以上になったとき、車両１の前部が沈み込む方向にピッチ角を増大させるので、ドライバによるステアリング操作の開始後、ローリングが発生したときに車両１の前部が沈み込むピッチングを発生させることができ、これにより、車両１の旋回初期においてダイアゴナルロール姿勢を生じさせ、前輪２のコーナリングフォースを増大させて旋回挙動の応答性を向上させるとともに、これから旋回挙動が発生・継続することをドライバに的確に認知させることができる。したがって、ドライバによるステアリング操作に対して良好な応答性・リニア感で車両１の挙動を制御することができるとともに、車両姿勢の安定感や乗り心地も向上するように車両１の挙動を制御することができる。
【００７１】
また、ＰＣＭ１６は、操舵速度が閾値ＴS1以上になったときエンジン４の出力トルク低減を開始することにより、車両１の前部が沈み込む方向にピッチ角を増大させるので、ドライバによるステアリング操作の開始後、駆動力低減により車両１に減速度を生じさせることで高い応答性でピッチ角を増大させることができ、ドライバによるステアリング操作に対してより良好な応答性で車両１の挙動を制御することができるとともに、車両姿勢の安定感や乗り心地も一層向上するように車両１の挙動を制御することができる。
【００７２】
また、ＰＣＭ１６は、操舵速度が閾値ＴS1以上になったとき、車両１のロール角の増大に同期して車両１の前部が沈み込む方向にピッチ角を増大させるので、車両１の旋回初期においてダイアゴナルロール姿勢を確実に生じさせることができ、これにより、ドライバによるステアリング操作に対して良好な応答性で車両１の挙動を制御することができるとともに、車両姿勢の安定感や乗り心地も向上するように車両１の挙動を制御することができる。
【００７３】
また、ＰＣＭ１６は、操舵速度が閾値ＴS1以上になったとき、前輪２の垂直荷重を増大させるので、ドライバによるステアリング操作の開始後、横加速度の増大に応じて前輪２の左右荷重移動量が増大したときに前輪２の垂直荷重を増大させることができ、これにより、車両１の旋回初期において左右荷重移動による前内輪の垂直荷重減少を抑制するように前輪２の垂直荷重を増大させ、前輪２のコーナリングフォースを増大させて旋回挙動の応答性を向上させることができる。これにより、強い制御介入感をドライバに覚えさせることなく、ステアリング操作に対する車両挙動の応答性やリニア感を向上できる。また、ドライバの意図した挙動が正確に実現されることにより、微小な修正舵が不要となるので、車両姿勢の安定感や乗り心地も向上することができる。
【００７４】
また、ＰＣＭ１６は、操舵速度が閾値ＴS1以上になったとき車両１の駆動力低減を開始することにより、前輪２の垂直荷重を増大させるので、ドライバによるステアリング操作の開始後、駆動力低減により車両１に減速度を生じさせることで高い応答性で前輪２の垂直荷重を増大させることができ、これにより、旋回初期において左右荷重移動による前内輪の垂直荷重減少を抑制するように前輪２の垂直荷重を迅速に増大させ、前輪のコーナリングフォースを増大させて旋回挙動の応答性を向上させることができる。
【００７５】
また、ＰＣＭ１６は、操舵速度が閾値ＴS1以上になったとき、前輪２の左右荷重移動に同期して前輪２の垂直荷重を増大させるので、車両１の旋回初期において左右荷重移動による前内輪の垂直荷重減少を確実に抑制するように前輪２の垂直荷重を増大させることができ、これにより、前輪２のコーナリングフォースを確実に増大させて旋回挙動の応答性を向上させることができる。
【符号の説明】
【００７６】
１  車両
２  前輪
４  エンジン
６  ステアリングホイール
８  操舵角センサ
１０  アクセル開度センサ
１２  車速センサ
１４  ＰＣＭ
１６  基本目標トルク決定部
１８  トルク低減量決定部
２０  最終目標トルク決定部
２２  エンジン制御部
【図１】
2017193318.tif 000003
【図２】
2017193318.tif 000004
【図３】
2017193318.tif 000005
【図４】
2017193318.tif 000006
【図５】
2017193318.tif 000007
【図６】
2017193318.tif 000008
【図７】
2017193318.tif 000009
【図８】
2017193318.tif 000010
【図９】
2017193318.tif 000011
【図１０】
2017193318.tif 000012
【図１１】
2017193318.tif 000013
【図１２】
2017193318.tif 000014
【手続補正書】
【提出日】平成29年6月14日(2017.6.14)
【手続補正１】
【補正対象書類名】特許請求の範囲
【補正対象項目名】全文
【補正方法】変更
【補正の内容】
【特許請求の範囲】
【請求項１】
駆動輪を駆動する駆動手段を備え、前輪が操舵される車両の挙動を制御する車両用挙動制御装置において、
上記車両の操舵速度を取得する操舵速度取得手段と、
上記操舵速度が０より大きい所定の閾値以上になったとき、上記操舵速度に基づき、上記車両に付加すべき目標付加減速度を取得し、当該目標付加減速度を実現するために必要となる駆動力の低減量を決定し、当該決定した低減量に基づき上記駆動手段による駆動力を低減させることにより、上記車両の前部が沈み込む方向にピッチ角を増大させるピッチ角増大手段と、
を有し、
上記操舵速度が増大するほど上記目標付加減速度は増大し、上限値０．５ｍ／ｓ2に漸近することを特徴とする車両用挙動制御装置。
【請求項２】
上記ピッチ角増大手段は、上記操舵速度が上記閾値以上になったとき上記駆動手段による駆動力の低減を開始することにより、上記車両の前部が沈み込む方向にピッチ角を増大させる、請求項１に記載の車両用挙動制御装置。
【請求項３】
上記ピッチ角増大手段は、上記操舵速度が上記閾値以上になったとき、上記車両のロール角の増大に同期して上記車両の前部が沈み込む方向にピッチ角を増大させる、請求項１又は２に記載の車両用挙動制御装置。
【請求項４】
上記ピッチ角増大手段は、上記目標付加減速度に基づき、上記車両に付加する付加減速度の変化率が０．５ｍ／ｓ3以下となる範囲で当該付加減速度を決定し、当該決定した付加減速度を実現するために必要となる駆動力の低減量を決定する、請求項１乃至３の何れか１項に記載の車両用挙動制御装置。
【手続補正２】
【補正対象書類名】明細書
【補正対象項目名】０００７
【補正方法】変更
【補正の内容】
【０００７】
上記の目的を達成するために、本発明の車両用挙動制御装置は、駆動輪を駆動する駆動手段を備え、前輪が操舵される車両の挙動を制御する車両用挙動制御装置において、車両の操舵速度を取得する操舵速度取得手段と、操舵速度が０より大きい所定の閾値以上になったとき、操舵速度に基づき、車両に付加すべき目標付加減速度を取得し、当該目標付加減速度を実現するために必要となる駆動力の低減量を決定し、当該決定した低減量に基づき駆動手段による駆動力を低減させることにより、車両の前部が沈み込む方向にピッチ角を増大させるピッチ角増大手段とを有し、操舵速度が増大するほど目標付加減速度は増大し、上限値０．５ｍ／ｓ2に漸近することを特徴とする。
このように構成された本発明においては、ピッチ角増大手段は、操舵速度が閾値以上になったとき、車両の前部が沈み込む方向にピッチ角を増大させるので、ドライバによるステアリング操作の開始後、ローリングが発生したときに車両の前部が沈み込むピッチングを発生させることができ、これにより、車両の旋回初期においてダイアゴナルロール姿勢を生じさせ、前輪のコーナリングフォースを増大させて旋回挙動の応答性を向上させるとともに、これから旋回挙動が発生・継続することをドライバに的確に認知させることができる。したがって、ドライバによるステアリング操作に対して良好な応答性・リニア感で車両の挙動を制御することができるとともに、車両姿勢の安定感や乗り心地も向上するように車両の挙動を制御することができる。
【手続補正３】
【補正対象書類名】明細書
【補正対象項目名】０００８
【補正方法】変更
【補正の内容】
【０００８】
また、本発明において、好ましくは、ピッチ角増大手段は、操舵速度が閾値以上になったとき駆動手段による駆動力の低減を開始することにより、車両の前部が沈み込む方向にピッチ角を増大させる。
このように構成された本発明においては、ドライバによるステアリング操作の開始後、駆動力低減により車両に減速度を生じさせることで高い応答性でピッチ角を増大させることができ、ドライバによるステアリング操作に対してより良好な応答性で車両の挙動を制御することができるとともに、車両姿勢の安定感や乗り心地も一層向上するように車両の挙動を制御することができる。
【手続補正４】
【補正対象書類名】明細書
【補正対象項目名】０００９
【補正方法】変更
【補正の内容】
【０００９】
また、本発明において、好ましくは、ピッチ角増大手段は、操舵速度が閾値以上になったとき、車両のロール角の増大に同期して車両の前部が沈み込む方向にピッチ角を増大させる。
このように構成された本発明においては、車両の旋回初期においてダイアゴナルロール姿勢を確実に生じさせることができ、これにより、ドライバによるステアリング操作に対して良好な応答性で車両の挙動を制御することができるとともに、車両姿勢の安定感や乗り心地も向上するように車両の挙動を制御することができる。
また、本発明において、好ましくは、ピッチ角増大手段は、目標付加減速度に基づき、車両に付加する付加減速度の変化率が０．５ｍ／ｓ3以下となる範囲で当該付加減速度を決定し、決定した付加減速度を実現するために必要となる駆動力の低減量を決定する。